(57)【要約】  表示領域の視認性を確保しつつ効果的に消費電力を低減することができる表示制御装置。タッチパネル一体型の表示パネルの表示制御を行う表示制御装置（４００）であって、タッチパネルから、タッチ操作情報を取得するタッチ操作情報取得部（４１０）と、取得されたタッチ操作情報に基づいて、表示パネルの表示領域から、ユーザが注目している領域である注目領域を推定するユーザ操作情報推定部（４２０）と、表示領域のうち推定された注目領域以外の領域である、非注目領域の輝度レベルを、設定の輝度レベルよりも低くする表示制御指示部（４４０）とを有する。
2013080444.tif 000002
【特許請求の範囲】
【請求項１】
タッチパネル一体型の表示パネルの表示制御を行う表示制御装置であって、
前記タッチパネルから、タッチ操作情報を取得するタッチ操作情報取得部と、
取得された前記タッチ操作情報に基づいて、前記表示パネルの表示領域から、ユーザが注目している領域である注目領域を推定するユーザ操作情報推定部と、
前記表示領域のうち推定された前記注目領域以外の領域である、非注目領域の輝度レベルを、設定の輝度レベルよりも低くする表示制御指示部と、を有する、
表示制御装置。
【請求項２】
前記設定の輝度レベルは、前記ユーザにより予め設定された輝度レベル、前記表示制御指示部にデフォルト値として設定された輝度レベル、および前記注目領域の輝度レベル、のうちのいずれかである、
請求項１記載の表示制御装置。
【請求項３】
前記ユーザ操作情報推定部は、
前記ユーザがピンチアウト操作を行っていると判定したとき、前記ピンチアウト操作を行っている複数の指のタッチ領域に挟まれた領域を、前記注目領域として推定する、
請求項１記載の表示制御装置。
【請求項４】
前記表示領域を分割した分割領域のレイアウトを示すレイアウト情報を格納するレイアウト情報格納部、を更に有し、
前記ユーザ操作情報推定部は、
前記レイアウト情報を参照し、前記分割領域を単位として、前記注目領域を推定する、
請求項１記載の表示制御装置。
【請求項５】
前記ユーザ操作情報推定部は、
前記ユーザがピンチアウト操作を行っていると判定したとき、前記ピンチアウト操作が行われている前記分割領域のうち、前記複数の指のタッチ領域に挟まれた領域を、前記注目領域として推定する、
請求項４記載の表示制御装置。
【請求項６】
前記ユーザの操作時の手指の位置に関する情報を示すユーザ情報を格納するユーザ情報格納部、を更に有し、
前記ユーザ操作情報推定部は、
前記ユーザ情報を用いて、前記ユーザの手指により遮蔽されている領域である遮蔽領域を推定し、推定した前記遮蔽領域を、前記非注目領域として推定する、
請求項１記載の表示制御装置。
【請求項７】
タッチパネル一体型の表示パネルの表示制御を行う表示制御方法であって、
前記タッチパネルから、タッチ操作情報を取得するステップと、
取得された前記タッチ操作情報に基づいて、前記表示パネルの表示領域から、ユーザが注目している領域である注目領域を推定するステップと、
前記表示領域のうち推定された前記注目領域以外の領域である、非注目領域の輝度レベルを、設定の輝度レベルよりも低くするステップと、を有する、
表示制御方法。
【請求項８】
タッチパネル一体型の表示パネルの表示制御を行うためのコンピュータを、
前記タッチパネルから、タッチ操作情報を取得するタッチ操作情報取得部、
取得された前記タッチ操作情報に基づいて、前記表示パネルの表示領域から、ユーザが注目している領域である注目領域を推定するユーザ操作情報推定部、および、
前記表示領域のうち推定された前記注目領域以外の領域である、非注目領域の輝度レベルを、設定の輝度レベルよりも低くする表示制御指示部、として機能させるための表示制御プログラム。
【発明の詳細な説明】
【技術分野】
【０００１】
本発明は、タッチパネルの表示パネルの表示制御を行う表示制御装置、表示制御方法、および表示制御プログラムに関する。
【背景技術】
【０００２】
近年、タッチパネル一体型の表示パネルを有するタイプの携帯端末は、携帯電話機あるいは携帯情報処理端末などとして普及が進んでいる。このような携帯端末（以下、単に「携帯端末」という）は、有機ＥＬ（electro luminescence）、ＬＣＤ（liquid crystal display）、ＬＥＤ（light emitting diode）など、電力により駆動する表示デバイスを、表示パネルとして用いている。【０００３】
携帯端末の多くは、バッテリ駆動であり、バッテリ残量が所定レベル以下になると動作不能となる。したがって、携帯端末では、連続使用可能時間を伸ばすために、消費電力の低減が重要である。【０００４】
そこで、携帯端末の表示パネルに関する省電力技術は、例えば、特許文献１および特許文献２に記載されている。【０００５】
特許文献１に記載の技術は、一定時間、携帯端末の操作が行われていないことが検出されたとき、表示中の画像の重要度に応じて、表示領域（表示パネルの画面）全体の輝度を低下させる。また、特許文献２に記載の技術は、ユーザが操作するカーソルの位置に基づいて、ユーザが継続的に見ることが予想される領域を特定し、特定した領域以外の領域の輝度を低下させる。
【先行技術文献】
【特許文献】
【０００６】
【特許文献１】特開２０１０−１４５５８２号公報
【特許文献２】特開２０１１−１０１２９６号公報
【発明の概要】
【発明が解決しようとする課題】
【０００７】
しかしながら、特許文献１に記載の技術は、操作が行われている間は、輝度を低下させることができない。また、特許文献２に記載の技術は、ユーザが見ている領域とカーソルの位置とが対応せず、ユーザが見ている領域の輝度が低下し、表示領域を見る際の快適性（以下「表示領域の視認性」という）を損なうおそれがある。すなわち、これらの従来技術では、表示領域の視認性を確保しつつ効果的に消費電力を低減することが難しいという課題を有する。【０００８】
また、消費電力の低減は、携帯端末の表示パネルに限らず、他の各種電子機器の表示パネルにおいても要求されている。したがって、各種の電子機器の表示パネルについては、表示領域の視認性を確保しつつ効果的に消費電力を低減することが可能な技術が望まれる。【０００９】
本発明の目的は、表示領域の視認性を確保しつつ効果的に消費電力を低減することができる表示制御装置、表示制御方法、および表示制御プログラムを提供することである。
【課題を解決するための手段】
【００１０】
本発明の一態様に係る表示制御装置は、タッチパネル一体型の表示パネルの表示制御を行う表示制御装置であって、前記タッチパネルから、タッチ操作情報を取得するタッチ操作情報取得部と、取得された前記タッチ操作情報に基づいて、前記表示パネルの表示領域から、ユーザが注目している領域である注目領域を推定するユーザ操作情報推定部と、前記表示領域のうち推定された前記注目領域以外の領域である、非注目領域の輝度レベルを、設定の輝度レベルよりも低くする表示制御指示部と、を有する。【００１１】
本発明の表示制御方法は、タッチパネル一体型の表示パネルの表示制御を行う表示制御方法であって、前記タッチパネルから、タッチ操作情報を取得するステップと、取得された前記タッチ操作情報に基づいて、前記表示パネルの表示領域から、ユーザが注目している領域である注目領域を推定するステップと、前記表示領域のうち推定された前記注目領域以外の領域である、非注目領域の輝度レベルを、設定の輝度レベルよりも低くするステップと、を有する。【００１２】
本発明の表示制御プログラムは、タッチパネル一体型の表示パネルの表示制御を行うためのコンピュータを、前記タッチパネルから、タッチ操作情報を取得するタッチ操作情報取得部、取得された前記タッチ操作情報に基づいて、前記表示パネルの表示領域から、ユーザが注目している領域である注目領域を推定するユーザ操作情報推定部、および、前記表示領域のうち推定された前記注目領域以外の領域である、非注目領域の輝度レベルを、設定の輝度レベルよりも低くする表示制御指示部、として機能させる。
【発明の効果】
【００１３】
本発明によれば、表示領域の視認性を確保しつつ効果的に消費電力を低減することができる。
【図面の簡単な説明】
【００１４】
【図１】本発明の実施の形態１に係る表示制御装置の構成の一例を示すブロック図
【図２】本発明の実施の形態２に係る表示制御装置を含む表示装置の構成の一例を示すブロック図
【図３】本発明の実施の形態２に係る表示装置の動作の一例を示すフローチャート
【図４】本発明の実施の形態２におけるタッチ領域および非注目領域の一例を示す図
【図５】本発明の実施の形態２におけるタッチ領域および非注目領域の他の例を示す図
【図６】本発明の実施の形態３に係る表示制御装置を含む表示装置の構成の一例を示すブロック図
【図７】本発明の実施の形態３における複数の分割領域から成る表示領域の構成の一例を示す図
【図８】本発明の実施の形態３に係る表示装置の動作の一例を示すフローチャート
【図９】本発明の実施の形態３におけるタッチ領域および非注目領域の一例を示す図
【図１０】本発明の実施の形態４に係る表示制御装置を含む表示装置の構成の一例を示すブロック図
【図１１】本発明の実施の形態４に係る表示装置の動作の一例を示すフローチャート
【図１２】本発明の実施の形態４におけるタッチ領域および非注目領域の一例を示す図
【発明を実施するための形態】
【００１５】
以下、本発明の各実施の形態について、図面を参照して詳細に説明する。
【００１６】
（実施の形態１）
本発明の実施の形態１は、本発明の基本的態様の一例である。
【００１７】
図１は、本実施の形態に係る表示制御装置の構成の一例を示すブロック図である。
【００１８】
図１において、表示制御装置４００は、タッチパネル一体型の表示パネル（図示せず）の表示制御を行う装置であり、タッチ操作情報取得部（センサ情報取得部）４１０、ユーザ操作情報推定部４２０、および表示制御指示部４４０を有する。
【００１９】
タッチ操作情報取得部４１０は、タッチ操作情報（センサ情報）を取得する。
【００２０】
ユーザ操作情報推定部４２０は、取得されたタッチ操作情報に基づいて、表示パネルの表示領域から、ユーザが注目している領域（以下「注目領域」という）を推定する。
【００２１】
表示制御指示部４４０は、表示領域のうち推定された注目領域以外の領域（以下「非注目領域」という）の輝度レベルを、設定の輝度レベルよりも低くする。
【００２２】
表示制御装置４００は、図示しないが、例えば、ＣＰＵ（central processing unit）、制御プログラムを格納したＲＯＭ（read only memory）などの記憶媒体、およびＲＡＭ（random access memory）などの作業用メモリを有する。この場合、上記した各部の機能は、ＣＰＵが制御プログラムを実行することにより実現される。
【００２３】
このような表示制御装置４００は、タッチパネルのタッチ操作情報から表示領域の注目領域を推定し、非注目領域の輝度レベルを低くすることができる。これにより、表示制御装置４００は、表示領域の視認性を確保しつつ効果的に消費電力を低減することができる。
【００２４】
（実施の形態２）
本発明の実施の形態２は、本発明を、タッチパネル一体型の表示パネルを有する表示装置に適用した場合の、具体的態様の一例である。
【００２５】
＜表示装置の構成＞
まず、本実施の形態に係る表示制御装置を含む表示装置の構成について説明する。
【００２６】
図２は、本実施の形態に係る表示制御装置を含む表示装置の構成の一例を示すブロック図である。
【００２７】
図２に示す表示装置１００は、携帯電話機などの移動体通信端末、ＰＤＡ（personal data assistant）、デジタルカメラ、タブレット、スマートフォン、および携帯オーディオ機器などの、携帯型の電子機器である。表示装置１００は、表示パネル（表示部）２００、タッチパネル（センサ）３００、および表示制御装置４００を有する。
【００２８】
表示パネル２００は、表示装置１００の画像制御部（図示せず）から入力される画像信号に従って、表示領域に画像を表示する。なお、表示パネル２００は、表示パネル２００の表示領域を分割した領域ごと（例えば画素ごと）に、輝度レベルを制御可能であるものとする。具体的には、表示パネル２００は、例えば、有機ＥＬディスプレイ、ＬＣＤ、ＬＥＤディスプレイなどである。本実施の形態における表示パネル２００は、有機ＥＬディスプレイを例にして説明する。
【００２９】
なお、本実施の形態において、輝度レベルとは、表示パネル２００が表示する画像の最大輝度を１００としたときの、値１００に対する実際の輝度値の比であるものとする。また、設定の輝度レベルとは、表示制御装置４００が機能しない場合の輝度レベルを意味する。すなわち、設定の輝度レベルは、例えば、ユーザにより予め設定された輝度レベル、表示制御指示部４４０にデフォルト値として設定された輝度レベル、および注目領域の輝度レベル、のうちのいずれかである。
【００３０】
タッチパネル３００は、タッチパネル３００に対して行われた操作の内容を示す情報（以下「タッチ操作情報」という）を出力する。
【００３１】
本実施の形態おいて、タッチパネル３００は、表示パネル２００の表示領域（以下、単に「表示領域」という）に設けられているものとする。タッチパネル３００は、どの位置で接触が感知されたかを示す検出信号（以下「タッチ操作信号」（センサ信号）という）を、タッチ操作情報として出力する。
【００３２】
表示制御装置４００は、表示装置１００の表示制御（つまり表示パネル２００の表示制御）を行う装置である。表示制御装置４００は、タッチ操作情報取得部４１０、ユーザ操作情報推定部４２０、表示制御判断部４３０、および表示制御指示部４４０を有する。
【００３３】
タッチ操作情報取得部４１０は、タッチパネル３００から、タッチ操作情報を取得する。
【００３４】
具体的には、タッチ操作情報取得部４１０は、タッチパネル３００から出力されるタッチ操作信号を入力し、接触が感知された位置を、表示パネル２００が表示する表示領域の座標で示す情報（以下「接触点情報」という）に変換する。
【００３５】
そして、タッチ操作情報取得部４１０は、得られた接触点情報を、ユーザ操作情報推定部４２０へ出力する。
【００３６】
ユーザ操作情報推定部４２０は、取得されたタッチ操作情報に基づいて、表示領域から、注目領域を推定する。言い換えると、ユーザ操作情報推定部４２０は、表示領域のうち推定された注目領域以外の領域である、表示パネル２００の表示領域のうちユーザが注目していない領域を、非注目領域として推定する。
【００３７】
具体的には、ユーザ操作情報推定部４２０は、タッチ操作情報取得部４１０から入力された接触点情報から、表示領域のうち、ユーザが手指で触れている領域（以下「タッチ領域」という）を取得する。そして、ユーザ操作情報推定部４２０は、取得したタッチ領域から、注目領域を推定する。
【００３８】
そして、ユーザ操作情報推定部４２０は、推定した注目領域を示す情報（言い換えると、推定した非注目領域を示す情報）（以下「領域情報」という）を、表示制御判断部４３０へ出力する。
【００３９】
表示制御判断部４３０は、表示領域の各領域の輝度レベルを、その領域が注目領域であるか非注目領域であるかに応じて、決定する。
【００４０】
具体的には、表示制御判断部４３０は、ユーザ操作情報推定部４２０から入力された領域情報に基づいて、非注目領域が設定の輝度レベルよりも低い輝度レベルとなるように、表示領域の各領域の輝度レベルを決定する。
【００４１】
そして、表示制御判断部４３０は、決定した各領域の輝度レベルを示す情報（以下「輝度情報」という）を、表示制御指示部４４０へ出力する。
【００４２】
なお、「輝度レベルの決定」とは、設定の輝度レベルに対する実際に出力すべき輝度レベルの比（画像信号が示す輝度値に対する出力比、以下「レベル比」という）の決定を含む概念とする。すなわち、輝度情報は、例えば、レベル比を指定する情報である。そして、輝度レベルを設定の輝度レベルよりも低くすることは、輝度情報として出力されるレベル比が１未満の値であることを含む。
【００４３】
表示制御指示部４４０は、非注目領域の輝度レベルを、設定の輝度レベルよりも低くする。具体的には、表示制御指示部４４０は、表示制御判断部４３０から入力された輝度情報に基づいて、表示領域の各領域が決定された輝度レベルで表示されるように指示する制御信号を、表示装置１００（つまり表示パネル２００）へ出力する。
【００４４】
本実施の形態において、表示制御指示部４４０が出力する制御信号は、例えば、有機ＥＬの各画素に対して、上述のレベル比での出力を命令する信号である。
【００４５】
表示装置１００は、図示しないが、例えば、ＣＰＵ、制御プログラムを格納したＲＯＭなどの記憶媒体、およびＲＡＭなどの作業用メモリを有する。この場合、上記した各部の機能は、ＣＰＵが制御プログラムを実行することにより実現される。
【００４６】
このような表示装置１００は、表示パネル２００に対するユーザの操作から、表示領域の注目領域を推定し、非注目領域の輝度レベルを低くすることができる。
【００４７】
非注目領域は、いわば、ユーザにとって視認が不能あるいは不要な領域である。このため、非注目領域の表示は、輝度レベルを低くしたとしても、ユーザが表示領域を見る際の快適性はほとんど損なわれない。したがって、表示装置１００は、表示領域の視認性を確保しつつ効果的に消費電力を低減することができる。
【００４８】
以上で、表示装置１００の構成についての説明を終える。
【００４９】
＜表示装置の動作＞
次に、表示装置１００の動作について説明する。
【００５０】
図３は、表示装置１００の動作の一例を示すフローチャートである。
【００５１】
まず、ステップＳ１１００において、タッチ操作情報取得部４１０は、タッチパネル３００からタッチ操作信号を入力する。
【００５２】
そして、ステップＳ１２００において、タッチ操作情報取得部４１０は、座標変換処理により、タッチ操作信号を接触点情報に変換する。
【００５３】
そして、ステップＳ１３００において、ユーザ操作情報推定部４２０は、接触点情報から、タッチ領域を取得する。
【００５４】
本実施の形態では、ユーザ操作情報推定部４２０が、接触が検出された連続する閉じた領域のうち、所定の面積以上の領域のそれぞれを、タッチ領域として取得するものとする。
【００５５】
例えば、ユーザが人差し指と親指の２本の指でタッチパネルに触れていたとする。この場合、人差し指がタッチパネルに接触している領域と、親指がタッチパネルに接触している領域とのそれぞれが、タッチ領域として取得されることになる。
【００５６】
このような接触状態は、例えば、表示領域に触れている２本の指の間の領域の画像を拡大表示させる操作（以下「ピンチアウト（pinch-out）操作」（拡大操作）という）を、ユーザが行おうとするときに、検出される。かかるピンチアウト操作は、２本の指をタッチパネルに接触させ、続いて、その間隔が拡大するように２本の指を外側へスライドさせる内容である。
【００５７】
なお、ユーザ操作情報推定部４２０は、接触が検出された連続する閉じた領域のうち所定の面積以上の領域を、所定の大きさの円など、単純な形状の領域に置き換え、置き換えられた領域をタッチ領域として取得してもよい。この場合、タッチ領域は、例えば、中心座標および半径により、簡単に定義することができ、タッチ領域の面積の大小は、半径により、簡単に判断することができる。すなわち、後段の処理の負荷を軽減することができる。
【００５８】
また、タッチパネルへの接触が検出されていない場合は、ステップＳ１２００の座標変換処理、および、ステップＳ１３００のタッチ領域の取得処理は、特に行われない。
【００５９】
そして、ステップＳ１４００において、ユーザ操作情報推定部４２０は、取得されたタッチ領域から、マルチタッチの状態となっているか否かを判断する。ここで、マルチタッチとは、タッチ領域が２箇所以上存在する状態であり、例えば、２本の指がタッチパネルに触れているときの状態である。
【００６０】
ユーザ操作情報推定部４２０は、マルチタッチの状態となっている場合（Ｓ１４００：ＹＥＳ）、ステップＳ１５００へ進む。また、ユーザ操作情報推定部４２０は、マルチタッチの状態となっていない場合（Ｓ１４００：ＮＯ）、後述のステップＳ２４００へ進む。
【００６１】
ステップＳ１５００において、ユーザ操作情報推定部４２０は、タッチ領域のうち、面積が最も大きい領域、および、２番目に大きい領域を、それぞれ第１のタッチ領域および第２のタッチ領域とする。そして、ユーザ操作情報推定部４２０は、第１のタッチ領域と第２のタッチ領域との間の距離（以下「２点間距離」という）を計測する。２点間距離は、例えば、第１のタッチ領域のうち第２のタッチ領域に最も近い点と、第２のタッチ領域のうち第１のタッチ領域に最も近い点との間の距離である。
【００６２】
そして、ステップＳ１６００において、ユーザ操作情報推定部４２０は、ユーザがピンチアウト操作を行っているか否かを推定する。ピンチアウト操作の場合、２本の指は、通常、２点間距離が短い位置からスタートし、その後、スライドする。したがって、ユーザ操作情報推定部４２０は、例えば、２点間距離が所定の閾値未満であるか否かに基づいて、ユーザがピンチアウト操作を行っているか否かを推定する。
【００６３】
ユーザ操作情報推定部４２０は、ユーザがピンチアウト操作を行っている場合（Ｓ１６００：ＹＥＳ）、ステップＳ１７００へ進む。また、ユーザ操作情報推定部４２０は、ユーザがピンチアウト操作を行っていない場合（Ｓ１６００：ＮＯ）、後述のステップＳ２４００へ進む。
【００６４】
ステップＳ１７００において、ユーザ操作情報推定部４２０は、第１のタッチ領域と第２のタッチ領域に挟まれた領域を、拡大対象領域と推定する。
【００６５】
そして、ステップＳ１８００において、ユーザ操作情報推定部４２０は、拡大対象領域を注目領域と推定し、表示領域の拡大対象領域以外の領域を、非注目領域と推定して、ステップＳ１９００へ進む。
【００６６】
すなわち、ユーザ操作情報推定部４２０は、ユーザがピンチアウト操作を行っていると判定したとき、ピンチアウト操作を行っている複数の指のタッチ領域に挟まれた領域を、注目領域として推定する。
【００６７】
図４は、タッチ領域とこれに基づいて推定される非注目領域の一例を示す図である。ここでは、ユーザの指を点線で併せて図示している。
【００６８】
図４に示す表示領域５１０の例では、人差し指５２１と親指５２２とが触れている様子を示す。ここでは、人差し指５２１の表示領域５１０との接触領域は、第１のタッチ領域５３１とし、親指５２２と表示領域５１０との接触領域は、第２のタッチ領域５３２とする。また、第１のタッチ領域のうち第２のタッチ領域に最も近い点は、第１の点５４１とし、第２のタッチ領域のうち第１のタッチ領域に最も近い点は、第２の点５４２とする。この場合、２点間距離は、第１の点５４１と第２の点５４２とを結ぶ線分５４３の長さである。
【００６９】
ユーザ操作情報推定部４２０は、この線分５４３の長さが所定の閾値未満であるとき、ピンチアウト操作が行われていると判断する（Ｓ１６００：ＹＥＳ）。そして、ユーザ操作情報推定部４２０は、第１のタッチ領域５３１と第２のタッチ領域５３２とに挟まれた領域を、注目領域５５１とし、その他の領域を、非注目領域５５２とする。
【００７０】
ここでは、注目領域５５１と非注目領域５５２との境界５５３が、表示領域５１０の上端および下端と平行な直線となるように、非注目領域５５２を推定する場合を例示している。このような推定は、例えば、横書きのテキスト情報に適している。しかし、かかる境界５５３の形態は、これに限定されない。
【００７１】
図５は、非注目領域の他の例を示す図であり、図４に対応するものである。図４と対応する部分には同一符号を付し、これについての説明を省略する。
【００７２】
図５に示すように、ユーザ操作情報推定部４２０は、例えば、注目領域５５１と非注目領域５５２との境界５５３が、第１の点５４１と第２の点５４２とを結ぶ線分５４３に直交する直線となるように、非注目領域５５２を推定する。
【００７３】
このような推定は、例えば、地図などの画像に適している。ユーザは、拡大させたい領域が帯状である場合、この帯状の領域を挟み込むような状態でマルチタッチを行うことが多い。また、人差し指５２１および親指５２２が伸びる方向は、線分５４３に略直交する方向となる。したがって、このような推定により、注目領域を更に高精度に推定することが可能となる。
【００７４】
なお、注目領域５５１と非注目領域５５２との境界５５３は、必ずしも直線である必要はなく、例えば、第１の点５４１と第２の点５４２とを結ぶ線分５４３を直径とする円であってもよい。また、注目領域５５１と非注目領域５５２との境界５５３は、第１の点５４１および第２の点５４２を含む表示領域５１０の相似形状（ここでは長方形）などであってもよい。
【００７５】
ステップＳ１９００において、表示制御判断部４３０は、非注目領域の輝度レベルが設定の基準レベルよりも低くなるように、各所の輝度レベルを決定する。より具体的には、表示制御判断部４３０は、非注目領域の輝度レベルが設定の基準レベルよりも低くなるように、各所のレベル比を決定する。
【００７６】
例えば、表示制御判断部４３０は、注目領域のレベル比を１に決定し、非注目領域のうちタッチ領域のレベル比を０に決定する。そして、表示制御判断部４３０は、表示領域のうち、これら注目領域と非注目領域のタッチ領域とを除いた残りの領域（以下「残領域」という）のレベル比を、０.５に決定する。このように、領域ごとに、輝度レベルを、レベル比を用いて画一的に決定することにより、少ない処理負荷で各所の輝度レベルを決定することができる。
【００７７】
そして、ステップＳ２０００において、表示制御指示部４４０は、ステップＳ１９００で決定された輝度レベルを実現するための制御信号を生成し、表示パネル２００へ出力する。制御信号は、例えば、領域ごとあるいは画素ごとに、レベル比を指定する内容となる。
【００７８】
そして、ステップＳ２１００において、ユーザ操作情報推定部４２０は、ユーザのタッチパネル操作が終了したか否かを判断する。タッチパネル操作の終了とは、例えば、ユーザがピンチアウト操作を行っていた２本の指をタッチパネルから離すことであり、タッチ領域の面積がゼロになったか否かに基づいて判断される。
【００７９】
ユーザ操作情報推定部４２０は、ユーザのタッチパネル操作が終了した場合（Ｓ２１００：ＹＥＳ）、ステップＳ２２００へ進む。また、ユーザ操作情報推定部４２０は、ユーザのタッチパネル操作が終了していない場合、および、タッチパネル操作が元々行われていない場合（Ｓ２１００：ＮＯ）、後述のステップＳ２４００へ進む。
【００８０】
ステップＳ２２００において、表示制御判断部４３０は、非注目領域の輝度レベルが設定の輝度レベルに戻るように、各所の輝度レベルを決定する。
【００８１】
例えば、表示制御判断部４３０は、注目領域、および非注目領域（タッチ領域および残領域）のレベル比を、全て１に決定する。
【００８２】
そして、ステップＳ２３００において、表示制御指示部４４０は、ステップＳ２２００で決定された輝度レベルを実現するための制御信号を生成し、表示パネル２００へ出力する。
【００８３】
そして、ステップＳ２４００において、ユーザ操作情報推定部４２０は、ユーザ操作などにより、処理の終了が指示されたか否かを判断する。ユーザ操作情報推定部４２０は、処理の終了を指示されていない場合（Ｓ２４００：ＮＯ）、ステップＳ１１００へ戻る。また、ユーザ操作情報推定部４２０は、処理の終了を指示された場合（Ｓ２４００：ＹＥＳ）、一連の処理を終了する。
【００８４】
このような動作により、表示装置１００は、表示パネル２００に対するユーザの操作を監視することができる。そして、表示装置１００は、ユーザの操作がピンチアウト操作であるとき、逐次、拡大対象領域以外を非注目領域として推定し、非注目領域の輝度レベルを低くすることができる。
【００８５】
なお、実際には、ユーザが、拡大しようとする領域の端の領域、つまり、拡大対象領域の内側に、指を置くことが多い。すなわち、実際の拡大対象領域は、２つのタッチ領域を含む領域である場合が多い。しかし、指が接触している領域は、指によって遮蔽されているため、ユーザから視認することはできない。したがって、上述のように、２つのタッチ領域に挟まれた領域を拡大対象領域と推定し、指が接触している領域を非注目領域としても、表示領域の視認性を損なう可能性は低い。
【００８６】
また、表示装置１００は、２つのタッチ領域を含む領域を、拡大対象領域と推定してもよい。この場合、表示装置１００は、例えば、第１のタッチ領域のうち第２のタッチ領域に最も遠い点と、第２のタッチ領域のうち第１のタッチ領域に最も遠い点とに挟まれた領域を、拡大対象領域と推定すればよい。
【００８７】
また、表示装置１００は、ピンチアウト操作の進捗あるいは操作開始からの経過時間に合わせて、非注目領域の輝度レベルを段階的に低下させてもよい。
【００８８】
また、表示装置１００は、必ずしも、操作が終了したときに、輝度レベルを元に戻さなくてもよい。
【００８９】
以上のように、本実施の形態に係る表示制御装置４００は、タッチパネル３００のタッチ操作情報から表示領域の注目領域を推定し、非注目領域の輝度レベルを低くすることができる。これにより、表示制御装置４００は、表示領域の視認性を確保しつつ効果的に消費電力を低減することができる。
【００９０】
なお、表示装置１００がＬＣＤあるいはＬＥＤなどを用いており、表示制御装置４００がバックライトとして表示装置１００に備えられている場合もある。このような場合において、表示装置１００は、表示制御指示部４４０で輝度レベルの変更を行う構成としてもよい。この場合、例えば、表示制御指示部４４０は、表示装置１００に入力される画像信号を取得し、決定されたレベル比に応じて各所の輝度レベルを変更する処理を行う。そして、表示制御指示部４４０は、上記画像信号に置き換えて、処理済みの画像信号を、表示装置１００に入力する。
【００９１】
（実施の形態３）
本発明の実施の形態３は、表示領域が複数の分割領域から成る場合に好適な具体的態様の一例である。
【００９２】
＜表示装置の構成＞
図６は、本実施の形態に係る表示制御装置を含む表示装置の構成の一例を示すブロック図であり、実施の形態２の図２に対応するものである。図２と同一部分には同一符号を付し、これについての説明を省略する。
【００９３】
図６において、表示装置１００ａの表示制御装置４００ａは、図２の構成に加えて、レイアウト情報格納部４５０ａを更に有する。また、表示制御装置４００ａは、図２のユーザ操作情報推定部４２０に代えて、ユーザ操作情報推定部４２０ａを有する。
【００９４】
レイアウト情報格納部４５０ａは、表示パネル２００が表示する表示領域を分割した分割領域のレイアウトを示す、レイアウト情報を格納する。分割領域のレイアウトは、例えば、表示領域全体に対する分割領域の相対座標で定義される。レイアウト情報は、例えば、図示しない画像解析部が、画像信号あるいは画像信号に付加された信号を解析することにより、あるいは、画像信号を配信するサーバにアクセスすることにより、取得される。
【００９５】
＜表示領域の構成＞
図７は、複数の分割領域から成る表示領域の構成の一例を示す図である。
【００９６】
図７に示すように、表示領域５１０は、例えば、第１〜第４の分割領域５１１〜５１４という、４つの分割領域から成る。表示領域５１０は、ここでは、ウェブブラウザが表示するウェブページであるものとする。第１の分割領域５１１は、例えば、ウェブページのタイトルを表示する領域である。第２の分割領域５１２は、例えば、ウェブページのメイン領域を表示する領域である。第３の分割領域５１３は、例えば、目次情報を表示する領域である。第４の分割領域５１４は、例えば、広告を表示する領域である。
【００９７】
図６のユーザ操作情報推定部４２０ａは、分割領域を単位として、注目領域を推定する。より具体的には、ユーザ操作情報推定部４２０ａは、ユーザがピンチアウト操作を行っていると判定したとき、ピンチアウト操作が行われている分割領域のうち、複数の指のタッチ領域に挟まれた領域を、注目領域として推定する。言い換えれば、ユーザ操作情報推定部４２０ａは、レイアウト情報格納部４５０ａに格納されたレイアウト情報を参照し、ピンチアウト操作において２本の指のタッチ領域を結ぶ線分を含まない分割領域を、非注目領域とする。
【００９８】
具体的には、ユーザ操作情報推定部４２０ａは、上述の第１の点と第２の点とを結ぶ線分の少なくとも一部を含む分割領域については、実施の形態２と同様に注目領域および非注目領域を決定する。そして、ユーザ操作情報推定部４２０ａは、上述の第１の点と第２の点とを結ぶ線分を含まない分割領域を、非注目領域と決定する。
【００９９】
＜表示装置の動作＞
図８は、表示装置１００ａの動作の一例を示すフローチャートであり、実施の形態１の図３に対応するものである。図３と同一部分には、同一ステップ番号を付し、これについての説明を省略する。
【０１００】
ユーザ操作情報推定部４２０ａは、ユーザがピンチアウト操作を行っている場合（Ｓ１６００：ＹＥＳ）、ステップＳ１７１０ａへ進む。
【０１０１】
ステップＳ１７１０ａにおいて、ユーザ操作情報推定部４２０ａは、第１のタッチ領域と第２のタッチ領域を結ぶ線分を、拡大対象線分として取得する。
【０１０２】
そして、ステップＳ１７２０ａにおいて、ユーザ操作情報推定部４２０ａは、レイアウト情報を参照し、拡大対象線分の少なくとも一部を含む分割領域のうち、２つのタッチ領域に挟まれた領域を拡大対象領域と推定する。
【０１０３】
そして、ユーザ操作情報推定部４２０ａは、ステップＳ１８００へ進む。すなわち、ユーザ操作情報推定部４２０ａは、拡大対象線分を含まない領域を、拡大対象領域の推定対象から除外する。
【０１０４】
＜タッチ領域および非注目領域＞
図９は、タッチ領域および非注目領域の一例を示す図であり、図７および実施の形態１の図４に対応するものである。図７および図４と対応する部分には同一符号を付し、これについての説明を省略する。
【０１０５】
図９に示すように、第１の点５４１と第２の点５４２とを結ぶ線分（拡大対象線分）５４３は、第２の分割領域５１２に内包されているものとする。この場合、ユーザ操作情報推定部４２０ａは、第２の分割領域５１２のうち、第１のタッチ領域５３１と第２のタッチ領域５３２とに挟まれた領域５６１を、注目領域とする。
【０１０６】
そして、ユーザ操作情報推定部４２０ａは、第２の分割領域５１２のうち、領域５６１以外の領域５６２を、非注目領域とする。また、ユーザ操作情報推定部４２０ａは、第１、３、４の分割領域５１１、５１３、５１４を、非注目領域とする。
【０１０７】
この結果、第２の分割領域５１２の領域５６１のみが設定の輝度レベルとなり、その他の領域は、低下した輝度レベルとなる。
【０１０８】
図４と図９とを比較すると、図９の方が、領域５６１の右側の領域（第３の分割領域５１３の一部）の分だけ非注目領域とされる面積が多く、より高い省電力効果が得られることが分かる。
【０１０９】
このように、本実施の形態に係る表示装置１００ａは、ピンチアウト操作において、拡大対象線分を含まない分割領域については、非注目領域とする。
【０１１０】
ウェブページのように、分割領域のそれぞれで情報が完結しているような画面の場合、ユーザは、ピンチアウト操作の対象としている分割領域以外の領域については注目していないのが通常である。したがって、拡大対象線分を含まない分割領域の輝度レベルを低下させたとしても、表示装置１００ａは、ユーザの画面を見る際の快適性を損なうことは少ない。すなわち、表示装置１００ａは、表示領域の視認性を確保しつつ、消費電力を更に効果的に低減することができる。
【０１１１】
なお、以上説明した本発明の実施の形態２および実施の形態３では、ピンチアウト操作のみを、非注目領域の推定および輝度レベルの低下の対象としたが、非注目領域の推定および輝度レベルの低下の対象は、これに限定されない。
【０１１２】
例えば、本発明に係る表示制御装置は、画像を縮小表示させるピンチイン（pinch-in）操作、あるいは、画面を左右上下にスライドさせるフリック操作を、非注目領域の推定および輝度レベルの低下の対象としてもよい。後者の場合、表示制御装置は、例えば、画面のスライドにより表示範囲から消え去る領域を、非注目領域とする。
【０１１３】
（実施の形態４）
本発明の実施の形態４は、ユーザの手指により遮蔽されている領域を考慮した場合の、具体的態様の一例である。
【０１１４】
＜表示装置の構成＞
図１０は、本実施の形態に係る表示制御装置を含む表示装置の構成の一例を示すブロック図であり、実施の形態２の図２に対応するものである。図２と同一部分には、同一符号を付し、これについての説明を省略する。
【０１１５】
図１０において、表示装置１００ｂの表示制御装置４００ｂは、図２の構成に加えて、ユーザ情報格納部４６０ｂを更に有する。また、表示制御装置４００ｂは、図２のユーザ操作情報推定部４２０に代えて、ユーザ操作情報推定部４２０ｂを有する。
【０１１６】
ユーザ情報格納部４６０ｂは、ユーザの操作時の手指の位置に関する情報を示すユーザ情報を格納する。
【０１１７】
本実施の形態において、ユーザ情報は、ユーザが右利きか左利きかを示す情報であり、例えば、ユーザ操作により予め設定されるものとする。
【０１１８】
ユーザ操作情報推定部４２０ｂは、ユーザ情報格納部４６０ｂに格納されたユーザ情報を用いて、ユーザの手指により遮蔽されている領域（以下「遮蔽領域」という）を推定する。そして、ユーザ操作情報推定部４２０ｂは、推定した遮蔽領域を、非注目領域とする。
【０１１９】
なお、ユーザ操作情報推定部４２０ｂは、ユーザ情報から遮蔽領域を推定するための推定ルールを予め保持しているものとする。
【０１２０】
本実施の形態において、推定ルールは、ユーザが右利きである場合、タッチ領域と、タッチ領域の右端の点から右方向に所定の距離以上離れた領域とを、遮蔽領域とする内容を含むものとする。また、推定ルールは、ユーザが左利きである場合には、タッチ領域と、タッチ領域の左端の点から左方向に所定の距離以上離れた領域とを、遮蔽領域とする内容を含むものとする。
【０１２１】
右利きのユーザは、通常、左手に表示装置１００ｂを持ち、右手でタッチパネル操作を行う。このため、右利きのユーザの場合は、指先のタッチ領域から少し右側に離れた領域のほとんどを、右手の甲によって遮られた状態となる。
【０１２２】
また、左利きのユーザは、通常、左手に表示装置１００ｂを持ち、左手でタッチパネル操作を行う。このため、左利きのユーザの場合は、指先のタッチ領域から少し左側に離れた領域のほとんどを、左手の甲によって遮られた状態となる。
【０１２３】
したがって、ユーザ操作情報推定部４２０ｂが用いる推定ルールは、上述の内容となっている。すなわち、ユーザ操作情報推定部４２０ｂは、上述のユーザ情報および推定ルールを用いることにより、遮蔽領域を精度良く推定することができる。
【０１２４】
＜表示装置の動作＞
図１１は、表示装置１００ｂの動作の一例を示すフローチャートであり、実施の形態１の図３に対応するものである。図３と同一部分には同一ステップ番号を付し、これについての説明を省略する。
【０１２５】
ユーザ操作情報推定部４２０ｂは、ユーザが操作を行っているか否かを判断する。ユーザ操作情報推定部４２０ｂは、ユーザが操作を行っていない場合（Ｓ１４００ｂ：ＮＯ）、ステップＳ２４００へ進む。また、ユーザ操作情報推定部４２０ｂは、ユーザが操作を行っている場合（Ｓ１４００ｂ：ＹＥＳ）、ステップＳ１７３０ｂへ進む。
【０１２６】
ステップＳ１７３０ｂにおいて、ユーザ操作情報推定部４２０ｂは、ユーザ情報を参照し、上述の推定ルールに基づいて、タッチ領域の座標から、遮蔽領域を推定する。
【０１２７】
そして、ステップＳ１８１０ｂにおいて、ユーザ操作情報推定部４２０ｂは、遮蔽領域を、非注目領域と推定し、表示領域の非注目領域以外の領域を、注目領域と推定して、ステップＳ１９００へ進む。
【０１２８】
＜タッチ領域および非注目領域＞
図１２は、タッチ領域および非注目領域の一例を示す図であり、実施の形態１の図４に対応するものである。図４と対応する部分には、同一符号を付し、これについての説明を省略する。ここでは、ユーザが右利きである旨を示すユーザ情報が格納されている場合について説明する。
【０１２９】
図１２に示すように、ユーザ操作情報推定部４２０ｂは、例えば、第１のタッチ領域５３１および第２のタッチ領域５３２の全体の右端の点５４４から、右側に所定の距離ｄのライン５７１を設定する。そして、ユーザ操作情報推定部４２０ｂは、ライン５７１の左側の領域を、注目領域５５１とし、ライン５７１の右側の領域を、遮蔽領域とし、非注目領域５５２とする。この非注目領域５５２は、図１２に示すように、例えば、右手の甲に覆われる部分である。
【０１３０】
このように、本実施の形態に係る表示装置１００ｂは、遮蔽部分を推定し、推定した遮蔽部分を非注目領域し、その輝度レベルを低下させる。これにより、表示装置１００ｂは、例えばピンチアウト操作が行われていなくても、表示領域の視認性を確保しつつ効果的に消費電力を低減することができる。
【０１３１】
なお、表示装置１００ｂは、タッチ領域から、手指による遮蔽領域をより高い精度で推定してもよい。この場合、表示装置１００ｂは、タッチ領域の配置に基づいて手指の形状を推定し、推定した形状により覆われる領域を、遮蔽領域とすればよい。また、この場合、表示装置１００ｂは、タッチ領域ごとに、その形状、大きさ、および位置などから、どの指により形成されたタッチ領域であるかを推定し、予め記憶された手指の形状パターンから最適なものを選択すればよい。
【０１３２】
ただし、上述のように、表示装置１００ｂは、遮蔽領域を単にタッチ領域の位置から推定する手法の方が、処理負荷を抑えることができ、より早く輝度レベルを低下させることができる。
【０１３３】
また、表示装置１００ｂは、実施の形態２および実施の形態３で説明した、拡大対象領域以外を非注目領域と推定する技術、および、拡大対象線分を含まない分割領域を非注目領域と推定する技術と、組み合わせてもよい。
【０１３４】
なお、以上説明した本発明の実施の形態２〜実施の形態４では、タッチパネルのタッチ操作情報に基づいて注目領域を推定する例について説明したが、注目領域の推定手法は、これに限定されない。
【０１３５】
例えば、本発明に係る表示制御装置は、カメラで撮影した映像を取得し、取得した映像からユーザの視線方向を検出し、ユーザが注視している領域以外の領域を、非注目領域と推定してもよい。
【０１３６】
すなわち、表示制御装置は、例えば、照度センサのセンサ情報など、何らかの科学的原理を応用して表示領域の周囲の状況を検知するセンサから、表示領域の周囲の状況を示す情報を取得してもよい。そして、表示制御装置は、取得した、表示領域の周囲の状況を示す情報に基づいて、表示領域の注目領域を推定してもよい。表示領域の周囲の状況を示す情報は、例えば、自然現象、人工物の機械的・電磁気的・熱的・音響的・化学的性質、あるいは、これらによって示される空間情報・時間情報を含む。
【０１３７】
また、タッチ領域あるいは操作種別と、非注目領域（遮蔽領域）との関係は、ユーザご、表示される画像ごと、画像を表示するアプリケーションごと、あるいは表示パネルごとなど、表示制御装置の使用環境によって異なる場合がある。この場合、以上説明した各実施の形態に係る表示制御装置は、タッチ操作情報、レイアウト情報、およびユーザ情報から遮蔽領域を推定するための推定ルールを複数保持しておき、使用環境に応じて推定ルールを使い分けることが望ましい。
【０１３８】
本開示の表示制御装置は、タッチパネル一体型の表示パネルの表示制御を行う表示制御装置であって、前記タッチパネルから、タッチ操作情報を取得するタッチ操作情報取得部と、取得された前記タッチ操作情報に基づいて、前記表示パネルの表示領域から、ユーザが注目している領域である注目領域を推定するユーザ操作情報推定部と、前記表示領域のうち推定された前記注目領域以外の領域である、非注目領域の輝度レベルを、設定の輝度レベルよりも低くする表示制御指示部と、を有する。
【０１３９】
また、上記表示制御装置において、設定の輝度レベルは、前記ユーザにより予め設定された輝度レベル、前記表示制御指示部にデフォルト値として設定された輝度レベル、および前記注目領域の輝度レベル、のうちのいずれかであってもよい。
【０１４０】
また、上記表示制御装置において、前記ユーザ操作情報推定部は、前記ユーザがピンチアウト操作を行っていると判定したとき、前記ピンチアウト操作を行っている複数の指のタッチ領域に挟まれた領域を、前記注目領域として推定してもよい。
【０１４１】
また、上記表示制御装置は、前記表示領域を分割した分割領域のレイアウトを示すレイアウト情報を格納するレイアウト情報格納部、を更に有してもよく、前記ユーザ操作情報推定部は、前記レイアウト情報を参照し、前記分割領域を単位として、前記注目領域を推定してもよい。
【０１４２】
また、上記表示制御装置において、前記ユーザ操作情報推定部は、前記ユーザがピンチアウト操作を行っていると判定したとき、前記ピンチアウト操作が行われている前記分割領域のうち、前記複数の指のタッチ領域に挟まれた領域を、前記注目領域として推定してもよい。
【０１４３】
また、上記表示制御装置において、前記ユーザの操作時の手指の位置に関する情報を示すユーザ情報を格納するユーザ情報格納部、を更に有してもよく、前記ユーザ操作情報推定部は、前記ユーザ情報を用いて、前記ユーザの手指により遮蔽されている領域である遮蔽領域を推定し、推定した前記遮蔽領域を、前記非注目領域として推定してもよい。
【０１４４】
本開示に係る表示制御方法は、タッチパネル一体型の表示パネルの表示制御を行う表示制御方法であって、前記タッチパネルから、タッチ操作情報を取得するステップと、取得された前記タッチ操作情報に基づいて、前記表示パネルの表示領域から、ユーザが注目している領域である注目領域を推定するステップと、前記表示領域のうち推定された前記注目領域以外の領域である、非注目領域の輝度レベルを、設定の輝度レベルよりも低くするステップと、を有する。
【０１４５】
本開示に係る表示制御プログラムは、タッチパネル一体型の表示パネルの表示制御を行うためのコンピュータを、前記タッチパネルから、タッチ操作情報を取得するタッチ操作情報取得部、取得された前記タッチ操作情報に基づいて、前記表示パネルの表示領域から、ユーザが注目している領域である注目領域を推定するユーザ操作情報推定部、および、前記表示領域のうち推定された前記注目領域以外の領域である、非注目領域の輝度レベルを、設定の輝度レベルよりも低くする表示制御指示部、として機能させる。
【０１４６】
２０１１年１１月２９日出願の特願２０１１−２６０１８６の日本出願に含まれる明細書、図面および要約書の開示内容は、すべて本願に援用される。
【産業上の利用可能性】
【０１４７】
本発明は、表示領域の視認性を確保しつつ効果的に消費電力を低減することができる表示制御装置、表示制御方法、および表示制御プログラムとして有用である。すなわち、本発明は、ユーザに対し、低電力で高品位な表示情報を提供する機能を有し、表示装置を有する全ての電子機器に好適であり、特に、バッテリ駆動の携帯端末に好適である。
【符号の説明】
【０１４８】
１００、１００ａ、１００ｂ  表示装置
２００  表示パネル
３００  タッチパネル
４００、４００ａ、４００ｂ  表示制御装置
４１０  タッチ操作情報取得部
４２０、４２０ａ、４２０ｂ  ユーザ操作情報推定部
４３０  表示制御判断部
４４０  表示制御指示部
４５０ａ  レイアウト情報格納部
４６０ｂ  ユーザ情報格納部
【図１】
2013080444.tif 000003
【図２】
2013080444.tif 000004
【図３】
2013080444.tif 000005
【図４】
2013080444.tif 000006
【図５】
2013080444.tif 000007
【図６】
2013080444.tif 000008
【図７】
2013080444.tif 000009
【図８】
2013080444.tif 000010
【図９】
2013080444.tif 000011
【図１０】
2013080444.tif 000012
【図１１】
2013080444.tif 000013
【図１２】
2013080444.tif 000014
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
タッチパネル一体型の表示パネルの表示制御を行う表示制御装置であって、
前記タッチパネルから、タッチ操作情報を取得するタッチ操作情報取得部と、
取得された前記タッチ操作情報に基づいて、ユーザがピンチアウト操作を行っているか否かを判定し、前記ユーザがピンチアウト操作を行っていると判定したとき、前記表示パネルの表示領域のうち、前記ピンチアウト操作を行っている複数の指のタッチ領域に挟まれた領域を、前記ユーザが注目している領域である注目領域として推定するユーザ操作情報推定部と、
前記表示領域のうち推定された前記注目領域以外の領域である、非注目領域の輝度レベルを、設定の輝度レベルよりも低くする表示制御指示部と、を有し、
前記ユーザ操作情報推定部は、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離が所定の閾値未満であることを条件として、前記ユーザが前記ピンチアウト操作を行っていると判定し、前記第１のタッチ領域と前記第２のタッチ領域とに挟まれた領域を、前記注目領域として推定する、
表示制御装置。
【請求項２】
前記設定の輝度レベルは、前記ユーザにより予め設定された輝度レベル、前記表示制御指示部にデフォルト値として設定された輝度レベル、および前記注目領域の輝度レベル、のうちのいずれかである、
請求項１記載の表示制御装置。
【請求項３】
（削除）
【請求項４】
前記表示領域を分割した分割領域のレイアウトを示すレイアウト情報を格納するレイアウト情報格納部、を更に有し、
前記ユーザ操作情報推定部は、
前記レイアウト情報を参照し、前記分割領域を単位として、前記注目領域を推定する、
請求項１記載の表示制御装置。
【請求項５】
前記ユーザ操作情報推定部は、
前記ユーザがピンチアウト操作を行っていると判定したとき、前記ピンチアウト操作が行われている前記分割領域のうち、前記複数の指のタッチ領域に挟まれた領域を、前記注目領域として推定する、
請求項４記載の表示制御装置。
【請求項６】
前記ユーザの操作時の手指の位置に関する情報を示すユーザ情報を格納するユーザ情報格納部、を更に有し、
前記ユーザ操作情報推定部は、
前記ユーザ情報を用いて、前記ユーザの手指により遮蔽されている領域である遮蔽領域を推定し、推定した前記遮蔽領域を、前記非注目領域として推定する、
請求項１記載の表示制御装置。
【請求項７】
タッチパネル一体型の表示パネルの表示制御を行う表示制御方法であって、
前記タッチパネルから、タッチ操作情報を取得するステップと、
取得された前記タッチ操作情報に基づいて、ユーザがピンチアウト操作を行っているか否かを判定し、前記ユーザがピンチアウト操作を行っていると判定したとき、前記表示パネルの表示領域のうち、前記ピンチアウト操作を行っている複数の指のタッチ領域に挟まれた領域を、前記ユーザが注目している領域である注目領域として推定するステップと、
前記表示領域のうち推定された前記注目領域以外の領域である、非注目領域の輝度レベルを、設定の輝度レベルよりも低くするステップと、を有し、
前記注目領域を推定するステップは、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離が所定の閾値未満であることを条件として、前記ユーザが前記ピンチアウト操作を行っていると判定し、前記第１のタッチ領域と前記第２のタッチ領域とに挟まれた領域を、前記注目領域と推定する、
表示制御方法。
【請求項８】
タッチパネル一体型の表示パネルの表示制御を行うためのコンピュータを、
前記タッチパネルから、タッチ操作情報を取得するタッチ操作情報取得部、
取得された前記タッチ操作情報に基づいて、ユーザがピンチアウト操作を行っているか否かを判定し、前記ユーザがピンチアウト操作を行っていると判定したとき、前記表示パネルの表示領域のうち、前記ピンチアウト操作を行っている複数の指のタッチ領域に挟まれた領域を、前記ユーザが注目している領域である注目領域として推定するユーザ操作情報推定部、および、
前記表示領域のうち推定された前記注目領域以外の領域である、非注目領域の輝度レベルを、設定の輝度レベルよりも低くする表示制御指示部、として機能させ、
前記ユーザ操作情報推定部は、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離が所定の閾値未満であることを条件として、前記ユーザが前記ピンチアウト操作を行っていると判定し、前記第１のタッチ領域と前記第２のタッチ領域とに挟まれた領域を、前記注目領域として推定する、
表示制御プログラム。
【請求項９】
前記ユーザが右利きか左利きかを示すユーザ情報を格納するユーザ情報格納部、を更に有し、
前記ユーザ操作情報推定部は、
前記ユーザが右利きである場合、前記タッチ領域と、前記タッチ領域の右端の点から右方向に所定の距離以上離れた領域とを、前記ユーザの手指により遮蔽されている領域である遮蔽領域として推定し、前記ユーザが左利きである場合、前記タッチ領域と、前記タッチ領域の左端の点から左方向に前記所定の距離以上離れた領域とを、前記遮蔽領域として推定し、推定した前記遮蔽領域を、前記非注目領域として推定する、
請求項１記載の表示制御装置。
【請求項１０】
タッチパネル一体型の表示パネルの表示制御を行う表示制御装置であって、
前記タッチパネルから、タッチ操作情報を取得するタッチ操作情報取得部と、
取得された前記タッチ操作情報に基づいて、ユーザが注目している領域である注目領域を推定するユーザ操作情報推定部と、
前記表示領域のうち推定された前記注目領域以外の領域である、非注目領域の輝度レベルを、設定の輝度レベルよりも低くする表示制御指示部と、を有し、
前記ユーザ操作情報推定部は、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離に基づいて、前記第１のタッチ領域と前記第２のタッチ領域とに挟まれた領域を、前記注目領域として推定する、
表示制御装置。
【請求項１１】
前記設定の輝度レベルは、前記ユーザにより予め設定された輝度レベル、前記表示制御指示部にデフォルト値として設定された輝度レベル、および前記注目領域の輝度レベル、のうちのいずれかである、
請求項１０記載の表示制御装置。
【請求項１２】
前記表示領域を分割した分割領域のレイアウトを示すレイアウト情報を格納するレイアウト情報格納部、を更に有し、
前記ユーザ操作情報推定部は、
前記レイアウト情報を参照し、前記分割領域を単位として、前記注目領域を推定する、
請求項１０記載の表示制御装置。
【請求項１３】
前記ユーザ操作情報推定部は、
前記距離に基づいて、前記分割領域のうち、前記複数の指のタッチ領域に挟まれた領域を、前記注目領域として推定する、
請求項１２記載の表示制御装置。
【請求項１４】
前記ユーザの操作時の手指の位置に関する情報を示すユーザ情報を格納するユーザ情報格納部、を更に有し、
前記ユーザ操作情報推定部は、
前記ユーザ情報を用いて、前記ユーザの手指により遮蔽されている領域である遮蔽領域を推定し、推定した前記遮蔽領域を、前記非注目領域として推定する、
請求項１０記載の表示制御装置。
【請求項１５】
タッチパネル一体型の表示パネルの表示制御を行う表示制御方法であって、
前記タッチパネルから、タッチ操作情報を取得するステップと、
取得された前記タッチ操作情報に基づいて、ユーザが注目している領域である注目領域を推定するステップと、
前記表示領域のうち推定された前記注目領域以外の領域である、非注目領域の輝度レベルを、設定の輝度レベルよりも低くするステップと、を有し、
前記注目領域を推定するステップは、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離に基づいて、前記第１のタッチ領域と前記第２のタッチ領域とに挟まれた領域を、前記注目領域として推定する、
表示制御方法。
【請求項１６】
タッチパネル一体型の表示パネルの表示制御を行うためのコンピュータを、
前記タッチパネルから、タッチ操作情報を取得するタッチ操作情報取得部、
取得された前記タッチ操作情報に基づいて、ユーザが注目している領域である注目領域を推定するユーザ操作情報推定部、および、
前記表示領域のうち推定された前記注目領域以外の領域である、非注目領域の輝度レベルを、設定の輝度レベルよりも低くする表示制御指示部、として機能させ、
前記ユーザ操作情報推定部は、
前記タッチ操作情報が示すタッチ領域のうち面積が最も大きい領域である第１のタッチ領域と、前記タッチ操作情報が示すタッチ領域のうち２番目に大きい領域である第２のタッチ領域との間の距離に基づいて、前記第１のタッチ領域と前記第２のタッチ領域とに挟まれた領域を、前記注目領域として推定する、
表示制御プログラム。
【請求項１７】
前記ユーザが右利きか左利きかを示すユーザ情報を格納するユーザ情報格納部、を更に有し、
前記ユーザ操作情報推定部は、
前記ユーザが右利きである場合、前記タッチ領域と、前記タッチ領域の右端の点から右方向に所定の距離以上離れた領域とを、前記ユーザの手指により遮蔽されている領域である遮蔽領域として推定し、前記ユーザが左利きである場合、前記タッチ領域と、前記タッチ領域の左端の点から左方向に前記所定の距離以上離れた領域とを、前記遮蔽領域として推定し、推定した前記遮蔽領域を、前記非注目領域として推定する、
請求項１０記載の表示制御装置。
【国際調査報告】
2013080444.tif 000015
2013080444.tif 000016
2013080444.tif 000017
2013080444.tif 000018